(57)【特許請求の範囲】
【請求項１】
長手方向に一定の間隔でミシン目が形成されたシートをロール状に巻いたロールシートを収納するための直方体の箱本体を有し、
前記箱本体の前壁から頂板に亘って左右一対の開封用ミシン目が形成され、前記両開封用ミシン目の間には開封部が形成されており、
前記前壁には、前記開封部の開封開始線が切れ込まれているとともに、
前記頂板には、前記開封部を後方に折り返すための折り返し線が形成され、
前記開封部を開くことで、シートを引き出すための引き出し口が形成されるロールシート収納紙箱であって、
前記開封用ミシン目には、
前記開封開始線から側方に向けて斜め上向きに延びている下側傾斜部と、
前記下側傾斜部から上方に向けて延びている中間部と、
前記中間部から側方に向けて斜め上向きに延びている上側傾斜部と、が形成され、
前記開封部には、左右方向に延びている中折れ線が形成されており、
前記開封部を後方に折り返したときに、前記開封部が前記頂板の上面に重なるとともに、前記中折れ線が前記頂板の後縁部に重なり、
前記開封部を前記中折れ線で折り曲げることで、前記開封部の先端側の部位が前記箱本体の後壁の外面に重なることを特徴とするロールシート収納紙箱。
【請求項２】
前記箱本体の後壁には、前記開封部を後方に折り返したときに、前記開封部の先端部が差し込まれる係止溝が形成されていることを特徴とする請求項１に記載のロールシート収納紙箱。
【請求項３】
前記開封用ミシン目には、屈曲した切れ込みが断続的に形成されており、
前記開封用ミシン目の前記前壁側と前記頂板側とでは、前記切れ込みの屈曲方向が異なり、
前記開封用ミシン目を切り開いたときに、前記前壁側の前記引き出し口の開口縁部に複数の凸部が形成されることを特徴とする請求項１または請求項２に記載のロールシート収納紙箱。
【請求項４】
前記開封用ミシン目には、前記上側傾斜部から前記前壁の上縁部に亘って縦線部が形成されており、
前記縦線部には、左右方向の内方に向けて窪んだ湾曲部が形成されていることを特徴とする請求項１から請求項３のいずれか一項に記載のロールシート収納紙箱。
【請求項５】
前記開封部には、前記開封開始線と前記開封用ミシン目との連結部から上方に向けて切れ込んだ封止溝が形成されていることを特徴とする請求項１から請求項４のいずれか一項に記載のロールシート収納紙箱。
【発明の詳細な説明】
【技術分野】
【０００１】
本発明は、ロールシートを収納するためのロールシート収納紙箱に関する。
【背景技術】
【０００２】
料理の水切りや油切り、或いは、食品を保存するときの包装などに用いられるキッチンペーパー（クッキングペーパー、キッチンタオルなどの総称）は、通常、キッチンペーパーをロール状に巻いたロールシートの状態で、ポリ袋や直方体形状の収納紙箱に収納されて販売されている。
【０００３】
キッチンペーパーは、吸水性に優れているものの、比較的に厚地であるため、キッチンペーパーの長手方向に一定の間隔でミシン目を形成することで、キッチンペーパーを所定の大きさに容易に切断することができるように工夫されている。
【０００４】
ロールシートがポリ袋に収納されている場合には、ロールシートをポリ袋から取り出して、ロールシートをホルダに装着して使用することが一般的である。
また、ロールシートが収納紙箱に収納されている場合には、通常、収納紙箱の開口部を開いたままで使用することが多い。
【０００５】
前記した何れかの構成においても、キッチンペーパーを使用するときに、キッチンペーパーの先端部を手で摘んで引き出すと、ロールシートが回転することになる。キッチンペーパーを切り取るときには、ロールシートを手で押さえて、ロールシートの回転を止めた状態で、キッチンペーパーの先端部を引っ張って、キッチンペーパーをミシン目に沿って切断する。
なお、ロールシートをポリ袋に収納したものは、比較的に安価で販売されており、キッチンペーパーを切り取り易くした工夫をポリ袋に設けているものはない。
【０００６】
ロールシートの収納紙箱としては、収納紙箱の前壁にＶ字形状の開口部を形成しているものがある（例えば、特許文献１および特許文献２参照）。
この構成において、キッチンペーパーを切り取るときには、開口部よりも外側にミシン目が配置されるようにキッチンペーパーを引き出し、キッチンペーパーを開口縁部に押し付けた状態で、キッチンペーパーの先端部を引っ張る動作を行う。このようにすると、ミシン目を切り開くことができる。
【０００７】
また、収納紙箱に開口部を形成すると、蓋状の開封部が形成されることになるが、この開封部が開口部に被ると、キッチンペーパーを引き出し難くなる。
そこで、従来の収納紙箱としては、開封部の先端部を紙箱の上面に差し込むように構成したもの（例えば、特許文献３参照）や、収納紙箱の上面に係合する係合片を開封部に形成したもの（例えば、特許文献４参照）などがある。これらの構成では、開封部が開口部に被らないように、開封部を紙箱の上面に固定することができる。
【０００８】
また、収納紙箱の使用後に開口部が開いていると、ロールシートが汚れてしまう可能性がある。
そこで、従来の収納紙箱としては、開口部内にスリットを形成し、このスリットに開封部の先端部を差し込むことで、収納紙箱を再封緘することができるように構成されているものがある（例えば、特許文献５および特許文献６参照）。
【先行技術文献】
【特許文献】
【０００９】
【特許文献１】特開２０１３−１２９４３３号公報
【特許文献２】特開２０１２−２４６０３２号公報
【特許文献３】特開平９−２９５６３７号公報
【特許文献４】特開２０１１−２４６１９０号公報
【特許文献５】特開平１０−１６９４９号公報
【特許文献６】特開平１０−８６９３７号公報
【発明の概要】
【発明が解決しようとする課題】
【００１０】
前記した特許文献１および特許文献２のように、Ｖ字形状の開口部を形成した収納紙箱では、引き出したキッチンペーパーを開口縁部に押し付けたときに、キッチンペーパーが開口縁部のＶ字形状に倣って撓んだ状態となる。この状態では、キッチンペーパーが開口縁部に対して滑り易いため、開口縁部に対してキッチンペーパーを掛け止めることが難しい。また、キッチンペーパーを引っ張ったときに、キッチンペーパーの幅方向にバランス良く引張力が加わり難い。したがって、前壁にＶ字形状の開口部が形成される収納紙箱では、キッチンペーパーを切り取り難いという問題がある。
【００１１】
前記した特許文献３および特許文献４のように、開封部を上面に固定するように構成された収納紙箱では、収納紙箱の上面から開封部が張り出した状態となり、収納紙箱全体が大きくなる。したがって、収納紙箱をキッチンのように狭い空間に置くのが難しくなるとともに、収納紙箱を縦置きにするのが難しいという問題がある。
また、収納紙箱の上面から開封部が張り出していると、収納紙箱の見た目が良くないという問題もある。
【００１２】
前記した特許文献５および特許文献６のように、開口部内のスリットに開封部の先端部を差し込むように構成された収納紙箱では、開口部内のスリットに開封部の先端部を差し込む作業が煩雑であるため、収納紙箱を再封緘し難いという問題がある。
【００１３】
本発明は、前記した問題を解決し、箱本体に収納されたロールシートからシートを容易に切り取ることができるロールシート収納紙箱を提供することを第一の課題とする。
【００１４】
また、本発明は、シートを引き出し易くするとともに、箱全体をコンパクトにすることができ、使用性および収納性を高めることができるロールシート収納紙箱を提供することを第二の課題とする。
【００１５】
また、本発明は、箱本体を容易に再封緘することができ、保管時にロールシートを清潔に保つことができるロールシート収納紙箱を提供することを第三の課題とする。
【課題を解決するための手段】
【００１６】
請求項１の発明は、前記第一の課題および第二の課題を解決する発明であり、ロールシート収納紙箱であって、長手方向に一定の間隔でミシン目が形成されたシートをロール状に巻いたロールシートを収納するための直方体の箱本体を有している。前記箱本体の前壁から頂板に亘って左右一対の開封用ミシン目が形成され、前記両開封用ミシン目の間には開封部が形成されている。前記前壁には、前記開封部の開封開始線が切れ込まれているとともに、前記頂板には、前記開封部を後方に折り返すための折り返し線が形成されている。前記開封部を開くことで、シートを引き出すための引き出し口が形成される。前記開封用ミシン目には、前記開封開始線から側方に向けて斜め上向きに延びている下側傾斜部と、前記下側傾斜部から上方に向けて延びている中間部と、前記中間部から側方に向けて斜め上向きに延びている上側傾斜部と、が形成されている。前記開封部には、左右方向に延びている中折れ線が形成されている。前記開封部を後方に折り返したときに、前記開封部が前記頂板の上面に重なるとともに、前記中折れ線が前記頂板の後縁部に重なり、前記開封部を前記中折れ線で折り曲げることで、前記開封部の先端側の部位が前記後壁の外面に重なる。
【００１７】
なお、本発明のシートは、不織布や紙製のシートであり、例えば、キッチンペーパー（クッキングペーパー、キッチンタオルなどの総称）である。
シートには、長手方向に一定の間隔でミシン目が形成されている。そして、シートを引き出し口の開口縁部に押し付けた状態で、シートの先端部を引っ張ると、シートがミシン目に沿って切断されるので、ロールシートから所定の大きさのシートを切り取ることができる。
【００１８】
請求項１の発明のロールシート収納紙箱では、引き出し口の前壁側の側縁部に上下方向の段差を形成することで、引き出し口の開口面積を確保しつつ、上側傾斜部の傾斜角度を小さくすることができる。
これにより、箱本体から引き出したシートを引き出し口の上側傾斜部に押し付けたときに、シートと上側開口縁部との接触部位が大きくなるため、シートを上側開口縁部に対して確実に掛け止めることができる。したがって、シートの先端部を引っ張ったときに、ロールシートに引張力が伝わるのを防ぐことができ、箱本体内のロールシートが回転するのを防ぐことができるため、ミシン目に対して確実に引張力を加えることができる。
さらに、請求項１の発明のロールシート収納紙箱では、箱本体から引き出したシートを上側傾斜部に押し付けたときに、シートが平坦になるため、シートの先端部を引っ張ったときに、シートの幅方向に対してバランス良く引張力が作用することになる。
【００１９】
したがって、請求項１の発明のロールシート収納紙箱では、シートを切り取るときに、箱本体内のロールシートが回転するのを防ぐとともに、シートの幅方向にバランス良く引張力が作用するため、シートのミシン目を容易に切り開くことができ、ロールシートからシートを容易に切り取ることができる。
【００２０】
屈曲した切れ込みを断続的に形成したジッパーによって開封用ミシン目を形成すると、開封用ミシン目を切り開いたときに、引き出し口の開口縁部に複数の凸部を形成することができる。この構成では、シートを上側傾斜部に押し付けたときに、シートに凸部が食い込むため、上側傾斜部に対してシートを確実に掛け止めることができ、ひいては、ロールシートからシートを切り取り易くなる。
【００２１】
なお、開封用ミシン目を切り開くときに、開封部を引き上げると、開封用ミシン目に上向きの力が作用することになる。このとき、上側傾斜部が前壁の下縁部に平行で傾斜していない場合には、中間部と上側傾斜部との連結部を切り開いたときに、上向きの力によって連結部から開封部が裂ける可能性がある。
これに対して、請求項１の発明のロールシート収納紙箱では、上側傾斜部が上向きに傾斜しているため、開封部を引き上げたときに、中間部に続いて上側傾斜部を上方に向けてスムーズに切り開くことができ、ひいては、開封部が裂けるのを防ぐことができる。
【００２３】
また、請求項１の発明のロールシート収納紙箱では、開封部を開いたときに、開封部を頂板の上面に重ねるとともに、開封部を中折れ線において折り曲げることで、開封部の先端側の部位を後壁の外面に重ねることができる。
このように、請求項１の発明では、開封部全体を箱本体の外面に密着させて重ねることができるため、引き出し口からシートを引き出すときに、開封部が引き出し口に被るのを防ぐことができ、引き出し口からシートを引き出し易くなる。
【００２４】
また、請求項１の発明のロールシート収納紙箱では、開封部全体を箱本体の外面に密着させて重ねることができるため、開封したロールシート収納紙箱をコンパクトにすることができる。したがって、請求項１の発明のロールシート収納紙箱は、キッチンのように狭い空間で使用するのに適しており、さらに、縦置きにも適している。
【００２５】
さらに、請求項１の発明のロールシート収納紙箱では、開封部全体が箱本体の外面に密着して重なり、箱本体の一部が二重壁となるため、箱本体の強度を高めることができる。
【００２６】
また、請求項１の発明のロールシート収納紙箱では、開封部全体が箱本体の外面に密着して重なるので、開封部が目立たなくなり、ひいては、開封したロールシート収容紙箱の見た目を良くすることができる。
【００２７】
このように、請求項１のロールシート収納紙箱では、開封部全体が箱本体の外面に密着して重なるため、シートを引き出し易くするとともに、箱全体をコンパクトにすることができ、使用性および収納性を高めることができる。さらに、箱本体の一部が二重壁となるため、箱本体の強度を高めることができる。
【００２８】
また、請求項２の発明では、前記箱本体の後壁に、前記開封部を後方に折り返したときに前記開封部の先端部が差し込まれる係止溝が形成されている。この構成では、開封部が箱本体の外面に密着して重なった状態で、開封部を箱本体に確実に固定することができる。
また、請求項３の発明では、前記開封用ミシン目には、屈曲した切れ込みが断続的に形成されており、前記開封用ミシン目の前記前壁側と前記頂板側とでは、前記切れ込みの屈曲方向が異なる。前記開封用ミシン目を切り開いたときに、前記前壁側の前記引き出し口の開口縁部に複数の凸部が形成される。
【００２９】
請求項４の発明は、前記第三の課題を解決する発明であり、前記したロールシート収納紙箱において、前記開封用ミシン目には、前記上側傾斜部から前記前壁の上縁部に亘って縦線部が形成され、前記縦線部には、左右方向の内方に向けて窪んだ湾曲部が形成されている。
【００３０】
請求項４の発明のロールシート収納紙箱では、開封用ミシン目の縦線部の湾曲部を切り開くと、引き出し口の前壁側の側縁部の上端部に突起部が形成される。
そして、開封部を開いた後に、開封部を引き出し口の突起部よりも下方に入り込ませると、上方に向けて開こうとする開封部が突起部に引っ掛かるため、開封部を閉じた状態に保つことができる。
このように、請求項４の発明のロールシート収納紙箱では、開封部を容易に閉じることができるため、開封したロールシート収納紙箱を保管するときに、箱本体を容易に再封緘することができ、ロールシートを清潔に保つことができる。
【００３１】
請求項５の発明は、前記第三の課題を解決する発明であり、前記したロールシート収納紙箱において、前記開封部には、前記開封開始線と前記開封用ミシン目との連結部から上方に向けて切れ込んだ封止溝が形成されている。
【００３２】
請求項５の発明では、開封部を開いた後に、開封部を引き出し口に入り込ませて、開封部の封止溝に引き出し口の開口縁部を差し込むと、開封部の先端部を引き出し口の開口縁部に係止させることができる。
このように、請求項５の発明のロールシート収納紙箱では、箱本体を簡便に再封緘することができるため、開封したロールシート収納紙箱を保管するときに、ロールシートを清潔に保つことができる。
【発明の効果】
【００３３】
本発明のロールシート収納紙箱では、シートを切り取るときに、箱本体内のロールシートが回転するのを防ぐとともに、シートの幅方向にバランス良く引張力が作用するため、シートのミシン目を容易に切り開くことができ、ロールシートからシートを容易に切り取ることができる。
また、開封部を開くときに、開封用ミシン目をスムーズに切り開くことができ、開封部が裂けるのを防ぐことができる。
【００３４】
また、本発明のロールシート収納紙箱において、開封部全体が箱本体の外面に密着して重なるように構成した場合には、シートを引き出し易くするとともに、箱全体をコンパクトにすることができ、使用性および収納性を高めることができる。さらに、箱本体の強度を高めるとともに、収納紙箱の見た目を良くすることができる。
【００３５】
また、本発明のロールシート収納紙箱において、箱本体を容易に再封緘することができるように構成した場合には、ロールシートを清潔に保つことができる。
【図面の簡単な説明】
【００３６】
【図１】本発明の実施形態に係る収納紙箱を左上前方から見た斜視図である。
【図２】本発明の実施形態に係る収納紙箱を左上後方から見た斜視図である。
【図３】本発明の実施形態に係る収納紙箱のブランクシートを示した図である。
【図４】本発明の実施形態に係る収納紙箱において、開封部を開いた状態を左上前方から見た斜視図である。
【図５】本発明の実施形態に係る収納紙箱において、開封部を開いた状態を左上後方から見た斜視図である。
【図６】本発明の実施形態に係る収納紙箱を示した図で、図４のＡ−Ａ断面図である。
【図７】本発明の実施形態に係る収納紙箱を示した図で、開封部を突起部で押さえた状態を左上前方から見た斜視図である。
【図８】本発明の実施形態に係る収納紙箱を示した図で、開封部の封止溝に引き出し口の開口縁部を差し込んだ状態を左上前方から見た斜視図である。
【図９】従来の収納紙箱を左上前方から見た斜視図である。
【図１０】本発明の収納紙箱と従来の収納紙箱とを比較して評価した結果を示した表である。
【発明を実施するための形態】
【００３７】
本発明の実施形態について、適宜図面を参照しながら詳細に説明する。
以下の説明において、前後左右方向とは、本実施形態の収納紙箱を説明する上で便宜上設定したものであり、収納紙箱の構成を限定するものではない。
【００３８】
本実施形態のロールシート収納紙箱１（以下、単に「収納紙箱」という）は、図１に示すように、直方体の箱本体２を有している。
箱本体２は、底板１０と、底板１０の前後の縁部に立ち上げられた前壁２０および後壁３０と、底板１０の左右の縁部に立ち上げられた左壁４０および右壁５０と、前壁２０および後壁３０に連設された頂板６０と、を備えている。
【００３９】
本実施形態の収納紙箱１は、ロールシートＲを収納するものである。ロールシートＲは、シートＰをロール状に巻いたものである。本実施形態のシートＰは、不織布や紙製のキッチンペーパー（クッキングペーパー、キッチンタオルなどの総称）である。
シートＰの長手方向には、一定の間隔でミシン目が形成されており、ロールシートＲの回転を止めつつ、シートＰの先端部を引っ張って、シートＰをミシン目に沿って切断することで、所定の大きさのシートＰをロールシートＲから切り取ることができる。
【００４０】
収納紙箱１は、図３に示すように、一枚の板紙のシートを切り抜いたブランクシートＳを各罫線において山折りまたは谷折りすることで形成される。図３に示すブランクシートＳは外面側が見えるように配置されている。
ブランクシートＳの各罫線（折線）は、ブランクシートＳの表面を押し込んで形成された線状の溝である。
なお、罫線に切れ込みを形成してもよい。このようにすると、罫線においてブランクシートＳを折り曲げ易くなる。
ブランクシートＳの坪量は、２５０ｇ／ｍ2から５００ｇ／ｍ2であることが好ましい。更に好ましくは、３００ｇ／ｍ2から４５０ｇ／ｍ2である。
【００４１】
底板１０は、図１に示すように、長方形に形成されており（図３参照）、前後方向よりも左右方向が大きく形成されている。
底板１０の後縁部には、図２に示すように、罫線Ｌ１（図３参照）を介して、後壁３０が連設されている。後壁３０は、底板１０の後縁部から上方に向けて延びている。後壁３０は、底板１０に対して垂直に形成されている。後壁３０は、長方形に形成されており、上下方向よりも左右方向が大きく形成されている。
【００４２】
後壁３０の上縁部には、罫線Ｌ２（図３参照）を介して、頂板６０が連設されている。頂板６０は、後壁３０の上縁部から前方に向けて延びている。頂板６０は、後壁３０に対して垂直に形成されている。頂板６０は、底板１０と同じ外形状である。
【００４３】
頂板６０の前縁部には、図１に示すように、罫線Ｌ３（図３参照）を介して、前壁２０が連設されている。前壁２０は、頂板６０の前縁部から下方に向けて延びている。前壁２０は、頂板６０に対して垂直に形成されている。前壁２０は、後壁３０と同じ外形状である。
【００４４】
前壁２０の下縁部には、罫線Ｌ４（図３参照）を介して、接合片７０が連設されている。接合片７０は、前壁２０の下縁部に沿って帯状に形成されている。接合片７０は、底板１０の内面前部に接着剤によって接合される部位である。
ブランクシートＳ（図３参照）を罫線Ｌ１〜Ｌ４で折り曲げつつ、接合片７０を底板１０の内面に接合することで、底板１０、後壁３０、頂板６０および前壁２０が角筒状を呈するようになる。
【００４５】
図３に示すように、前壁２０の左右の縁部には、左右の内フラップ２１，２１が連設されている。また、後壁３０の左右の縁部には、左右の内フラップ３１，３１が連設されている。また、底板１０の左右の縁部には、左右の外フラップ１１，１１が連設されている。また、頂板６０の左右の縁部には、左右の外フラップ６１，６１が連設されている。
【００４６】
収納紙箱１では、前壁２０および後壁３０の内フラップ２１，３１の外面に、底板１０および頂板６０の外フラップ１１，６１が接着剤によって接合される。
このように、各内フラップ２１，３１に各外フラップ１１，６１を重ねて接合することで、図１に示すように、左壁４０および右壁５０が形成されている。
【００４７】
箱本体２には、前壁２０から頂板６０に亘って左右一対の開封用ミシン目Ｌ１０，Ｌ１０が形成されている。
左右の開封用ミシン目Ｌ１０，Ｌ１０は、左右方向に間隔を空けて配置されており、両開封用ミシン目Ｌ１０，Ｌ１０の間には、前壁２０から頂板６０に亘って開封部８０が形成されている。
【００４８】
本実施形態の開封用ミシン目Ｌ１０は、屈曲した切れ込みが断続的に形成されているジッパーである。図４に示すように、開封用ミシン目Ｌ１０を切り開いたときには、前壁２０側の引き出し口２ａの開口縁部（切断縁部）に複数の凸部２ｄが形成される。凸部２ｄの数は限定されるものではないが、後記する上側傾斜部Ｌ１３には、少なくとも一つの凸部２ｄが形成されている。
凸部２ｄは、三角形に突出した部位であり、凸部２ｄの高さは、約１ｍｍ〜２ｍｍであることが好ましい。
【００４９】
なお、開封用ミシン目Ｌ１０は、前壁２０側と頂板６０側とでは、切れ込みの屈曲方向が異なっている。したがって、開封用ミシン目Ｌ１０を切り開いたときに、頂板６０側の引き出し口２ａの開口縁部には、複数の窪み部が形成される。
【００５０】
前壁２０において、開封用ミシン目Ｌ１０の下端部は、図１に示すように、前壁２０の上下方向の中心部よりも僅かに上方に配置されている。両開封用ミシン目Ｌ１０，Ｌ１０の下端部の間には、開封開始線Ｌ２０が形成されている。
【００５１】
開封開始線Ｌ２０は、一方の開封用ミシン目Ｌ１０の下端部から他方の開封用ミシン目Ｌ１０の下端部に亘って形成されたミシン目である。開封開始線Ｌ２０は、下方に向けて凸状となるように湾曲している。開封開始線Ｌ２０は、前壁２０の略中心部に形成されている。
【００５２】
頂板６０において、開封用ミシン目Ｌ１０の後端部は、頂板６０の前後方向の中心部よりも僅かに後方に配置されている。
両開封用ミシン目Ｌ１０，Ｌ１０の後端部の間には、折り返し線Ｌ３０が形成されている。折り返し線Ｌ３０は、開封部８０を後方に折り返すための罫線である（図４参照）。折り返し線Ｌ３０は、頂板６０の後縁部（罫線Ｌ２）に対して平行に形成されている。
【００５３】
図６に示すように、折り返し線Ｌ３０において、開封部８０を折り返して、開封部８０を箱本体２の外面に重ねたときに、開封部８０の先端縁部が後壁３０の外面に重なるように、開封開始線Ｌ２０および折り返し線Ｌ３０の位置が設定されている。
なお、折り返し線Ｌ３０は、図１に示すように、頂板６０の前後方向の中央部よりも後側（罫線Ｌ２側）に形成することが好ましい。これにより、図４に示すように、折り返し線Ｌ３０において、開封部８０を折り返したときに、引き出し口２ａを大きくすることができる。
【００５４】
また、折り返し線Ｌ３０は、図１に示すように、リード罫であり、複数の切れ込みＬ３１が形成されており、開封部８０を後方に折り返し易くなっている。
折り返し線Ｌ３０は、切れ込みＬ３１／繋ぎ部の長さの関係が、３ｍｍ／１７ｍｍ〜８ｍｍ／１２ｍｍであることが好ましい。最も好ましいのは、切れ込みＬ３１／繋ぎ部の長さの関係が、５ｍｍ／１５ｍｍである。このような関係で、折り返し線Ｌ３０に切れ込みＬ３１を形成することで、折り返し線Ｌ３０をミシン目と間違えるのを防ぐとともに、折り返し線Ｌ３０の見た目を良くすることができる。
【００５５】
左側の開封用ミシン目Ｌ１０には、開封開始線Ｌ２０に連結されている下側傾斜部Ｌ１１と、下側傾斜部Ｌ１１に連結されている中間部Ｌ１２と、中間部Ｌ１２に連結されている上側傾斜部Ｌ１３と、が形成されている。また、上側傾斜部Ｌ１３から前壁２０の上縁部（罫線Ｌ３）に亘って縦線部Ｌ１４が形成されている。さらに、縦線部Ｌ１４の上端部から折り返し線Ｌ３０に亘って横線部Ｌ１５が形成されている。
【００５６】
左側の開封用ミシン目Ｌ１０の下側傾斜部Ｌ１１は、開封開始線Ｌ２０の左端部から左方に向けて斜め上向きに延びている。下側傾斜部Ｌ１１は、前壁２０の下縁部（罫線Ｌ４）に対して上向きに傾斜している。すなわち、下側傾斜部Ｌ１１は、箱本体２を水平面に置いたときに、水平方向に対して上向きに傾斜するように形成されている。
下側傾斜部Ｌ１１は、開封開始線Ｌ２０の左端部と前壁２０の左縁部との間の中央部よりも左側の位置まで延びている。
【００５７】
左側の開封用ミシン目Ｌ１０の中間部Ｌ１２は、下側傾斜部Ｌ１１の左端部から左方に向けて斜め上向きに延びている。中間部Ｌ１２の前壁の２０の下縁部（罫線Ｌ４）に対する傾斜角度は、下側傾斜部Ｌ１１の前壁２０の下縁部に対する傾斜角度よりも大きく形成されている。
【００５８】
左側の開封用ミシン目Ｌ１０の上側傾斜部Ｌ１３は、中間部Ｌ１２の左端部から左方に向けて斜め上向きに延びている。上側傾斜部Ｌ１３の左端部は、前壁２０の左縁部の近傍に配置されている。
上側傾斜部Ｌ１３の前壁２０の下縁部（罫線Ｌ４）に対する傾斜角度は、中間部Ｌ１２の前壁２０の下縁部に対する傾斜角度よりも小さく形成されている。
左側の開封用ミシン目Ｌ１０には、下側傾斜部Ｌ１１、中間部Ｌ１２および上側傾斜部Ｌ１３によって上下方向の段差が形成されている。
【００５９】
上側傾斜部Ｌ１３の傾斜角度は、前壁２０の下縁部に対して１０度〜２０度の間であることが好ましい。すなわち、箱本体２を水平面に置いたときに、上側傾斜部Ｌ１３が水平に対して１０度〜２０度の間で傾斜していることが好ましい。最も好ましいのは、上側傾斜部Ｌ１３の傾斜角度が前壁２０の下縁部（水平）に対して１５度である。
上側傾斜部Ｌ１３の傾斜角度は、下側傾斜部Ｌ１１の傾斜角度よりも小さく形成されている。なお、下側傾斜部Ｌ１１の傾斜角度は、前壁２０の下縁部に対して１０度〜２５度の間であることが好ましい。
【００６０】
なお、開封用ミシン目Ｌ１０を切り開くときに、開封部８０を引き上げると、開封用ミシン目Ｌ１０には、上向きの力が作用することになる。このとき、上側傾斜部Ｌ１３が前壁２０の下縁部に平行（水平）で傾斜していない場合には、中間部Ｌ１２と上側傾斜部Ｌ１３との連結部を切り開いたときに、上向きの力によって連結部から開封部８０が裂ける可能性がある。
そこで、本実施形態では、上側傾斜部Ｌ１３を前壁２０の下縁部に平行（水平）に対して上向きに傾斜させることで、開封部８０を引き上げたときに、中間部Ｌ１２に続いて上側傾斜部Ｌ１３を上方に向けてスムーズに切り開くことができるように構成されている。
【００６１】
また、上側傾斜部Ｌ１３の傾斜角度が２０度よりも大きくなると、シートＰを上側傾斜部Ｌ１３に押し付けたときに、シートＰが上側傾斜部Ｌ１３に対して滑り易くなるため、開口縁部に対してシートＰを掛け止めることが難しくなる。
これに対して、本実施形態のように、上側傾斜部Ｌ１３を１０度〜２０度の間で傾斜させた場合には、シートＰを上側傾斜部Ｌ１３に押し付けたときに、シートＰと上側開口縁部Ｌ１３との接触部位が大きくなるため、シートＰを上側開口縁部Ｌ１３に対して確実に掛け止めることができる。
【００６２】
上側傾斜部Ｌ１３は、前壁２０の下縁部（水平）に対する傾斜角度が小さく形成されている。このようにすると、ロールシートＲの中心軸線（回転軸線）に対する上側傾斜部Ｌ１３の傾斜角度も小さくなるため、ロールシートＲから引き出されたシートＰと、上側傾斜部Ｌ１３とが略平行に配置されることになる。
【００６３】
一般的なキッチンペーパー等のロールシートＲの幅は、おおよそ２００ｍｍ〜２５０ｍｍ程度のものが多い。このような場合において、ロールシートＲからシートＰを切り取る際に、上側傾斜部Ｌ１３および下側傾斜部Ｌ１１を有効に機能させるためには、上側傾斜部Ｌ１３の長さは、１５ｍｍ〜３５ｍｍであることが好ましい。また、下側傾斜部Ｌ１１の長さは、４５ｍｍ〜６５ｍｍであることが好ましい。また、上側傾斜部Ｌ１３は、下側傾斜部Ｌ１１よりも短いことが好ましい。
このようにすると、引き出し口２ａの開口面積を確保しつつ、上側傾斜部Ｌ１３とシートＰとの接触部位も十分に確保することができる。
【００６４】
また、開封用ミシン目Ｌ１０の段差の高さ（中間部Ｌ１２の高さ）は、５ｍｍ〜１５ｍｍであることが好ましい。最も好ましいのは、開封用ミシン目Ｌ１０の段差の高さが８ｍｍである。
【００６５】
左側の開封用ミシン目Ｌ１０の縦線部Ｌ１４は、上側傾斜部Ｌ１３の左端部から前壁２０の上縁部（罫線Ｌ３）に亘って延びている。縦線部Ｌ１４は、前壁２０の上縁部（罫線Ｌ３）に対して略垂直に形成されている。
【００６６】
縦線部Ｌ１４には、右方に向けて円弧状に窪んだ湾曲部Ｌ１４ａが形成されている。図４に示すように、縦線部Ｌ１４の湾曲部Ｌ１４ａを切り開くと、引き出し口２ａの縦線部Ｌ１４には、右方に向けて突出した突起部２ｂが形成される。すなわち、引き出し口２ａの前壁２０側の側縁部の上端部に突起部２ｂが形成される。
【００６７】
左側の開封用ミシン目Ｌ１０の横線部Ｌ１５は、縦線部Ｌ１４の上端部から折り返し線Ｌ３０の左端部に亘って延びている。横線部Ｌ１５は、後方に向かうに従って右方に入り込んでいる。
【００６８】
右側の開封用ミシン目Ｌ１０は、左側の開封用ミシン目Ｌ１０に対して、左右対称な形状である。右側の開封用ミシン目Ｌ１０は、開封開始線Ｌ２０の右端部から折り返し線Ｌ３０の右端部に亘って形成されている。右側の開封用ミシン目Ｌ１０の各部の角度および長さは、前記した左側の開封用ミシン目Ｌ１０の各部の角度および長さと同じである。
【００６９】
箱本体２において、開封開始線Ｌ２０、左右の開封用ミシン目Ｌ１０，Ｌ１０および折り返し線Ｌ３０に囲まれた領域には、開封部８０が形成されている。開封部８０は、図３に示すブランクシートＳの状態では略五角形に形成されている。
【００７０】
図４に示すように、開封開始線Ｌ２０および両開封用ミシン目Ｌ１０，Ｌ１０を切り開くことで、開封部８０の下縁部および左右の縁部を箱本体２から切り離すことができる。これにより、箱体２の前壁２０から頂板６０に亘って引き出し口２ａが形成される。なお、引き出し口２ａの前壁２０側の開口縁部には複数の凸部２ｄが形成される。
【００７１】
開封部８０の頂板６０側の部位には、図１に示すように、左右方向に延びている中折れ線Ｌ４０が形成されている。中折れ線Ｌ４０は、開封部８０を開いたときに、開封部８０を折り曲げるための罫線である（図５参照）。
中折れ線Ｌ４０は、左右の横線部Ｌ１５，Ｌ１５に亘って直線状に形成されている。中折れ線Ｌ４０は、折り返し線Ｌ３０に対して平行に形成されている。
【００７２】
中折れ線Ｌ４０は、リード罫であり、複数の切れ込みＬ４１が形成されており、開封部８０を折り曲げ易くなっている。
中折れ線Ｌ４０は、切れ込みＬ４１／繋ぎ部の長さの関係が、３ｍｍ／１７ｍｍ〜８ｍｍ／１２ｍｍであることが好ましい。最も好ましいのは、切れ込みＬ４１／繋ぎ部の長さの関係が、５ｍｍ／１５ｍｍである。このような関係で、中折れ線Ｌ４０に切れ込みＬ４１を形成することで、中折れ線Ｌ４０をミシン目と間違えるのを防ぐとともに、中折れ線Ｌ４０の見た目を良くすることができる。
【００７３】
折り返し線Ｌ３０と中折れ線Ｌ４０との前後方向の間隔と、折り返し線Ｌ３０と頂板６０の後縁部（罫線Ｌ２）との前後方向の間隔とは、略同じ大きさになっている。
したがって、図５に示すように、折り返し線Ｌ３０において開封部８０を後方に折り返して、開封部８０を頂板６０に重ねたときに、中折れ線Ｌ４０が頂板６０の後縁部（罫線Ｌ２）に重なる。
この状態で、中折れ線Ｌ４０において、開封部８０の先端側の部位を下方に向けて直角に折り曲げると、開封部８０の先端側の部位が後壁３０の外面に重なる。
【００７４】
開封部８０には、図１に示すように、開封開始線Ｌ２０と下側傾斜部Ｌ１１との連結部から斜め上向きに切れ込んだ左右一対の封止溝Ｌ５０，Ｌ５０が形成されている。
【００７５】
左右の封止溝Ｌ５０，Ｌ５０の上端部の間には、罫線Ｌ２１が形成されている。罫線Ｌ２１は左右方向に延びている。
開封開始線Ｌ２０、左右の封止溝Ｌ５０，Ｌ５０および罫線Ｌ２１に囲まれた領域には、半円形状の係止片８１が形成されている。この係止片８１は、図５に示すように、開封部８０を開いたときに、開封部８０の先端部から下方に向けて突出する部位である。
【００７６】
封止溝Ｌ５０は、図８に示すように、箱本体２を再封緘するときに、引き出し口２ａの開口縁部を差し込む部位である。
封止溝Ｌ５０の長さは、５ｍｍ〜１０ｍｍであることが好ましい。最も好ましくは、７ｍｍである。このように、封止溝Ｌ５０の長さを設定することで、封止溝Ｌ５０に引き出し口２ａの開口縁部を確実に挟み込むことができる。
【００７７】
後壁３０には、図２に示すように、係止溝Ｌ６０が形成されている。係止溝Ｌ６０は、左右方向に延びている直線状の切れ込みである。
係止溝Ｌ６０は、後壁３０の左右方向の中央部に形成されるとともに、後壁３０の上下方向の中央部よりも下側に形成されている。
係止溝Ｌ６０は、図５に示すように、開封部８０の先端側の部位を後壁３０の外面に重ねたときに、開封部８０の係止片８１が差し込まれる部位である。
係止溝Ｌ６０の左右の端部および中央部には、上方に向けて切れ込みＬ６１（図２参照）が形成されている。
【００７８】
本実施形態の収納紙箱１を開封するときには、図１に示すように、開封部８０の係止片８１を指で押し込んで開封開始線Ｌ２０を切り開く。そして、係止片８１および開封部８０の先端部を引き上げて、図４に示すように、左右の開封用ミシン目Ｌ１０，Ｌ１０を前壁２０側（下側）から頂板６０側（上側）に向けて切り開く。これにより、開封部８０が開いて箱本体２に引き出し口２ａが形成される。
【００７９】
開封用ミシン目Ｌ１０を切り開くときに、開封部８０を引き上げると、開封用ミシン目Ｌ１０（下側傾斜部Ｌ１１、中間部Ｌ１２および上側傾斜部Ｌ１３）には、上向きの力が作用する。本実施形態では、上側傾斜部Ｌ１３が水平方向に対して上向きに傾斜しているため、開封部８０を引き上げたときに、中間部Ｌ１２に続いて上側傾斜部Ｌ１３を上方に向けてスムーズに切り開くことができる。したがって、中間部Ｌ１２と上側傾斜部Ｌ１３との連結部を切り開いたときに、開封部８０が裂けるのを防ぐことができる。
【００８０】
折り返し線Ｌ３０において、開封部８０を後方に折り返して、開封部８０を頂板６０の上面に重ねる。このとき、頂板６０の後縁部（罫線Ｌ２）に開封部８０の中折れ線Ｌ４０が重なる（図６参照）。
また、図５に示すように、開封部８０の先端側の部位を中折れ線Ｌ４０において下向きに折り曲げることで、開封部８０の先端側の部位を後壁３０の外面に密着させて重ねることができる。
さらに、開封部８０の係止片８１を後壁３０の係止溝Ｌ６０に差し込むことで、開封部８０の先端部を箱本体２に固定することができる。
【００８１】
本実施形態の収納紙箱１では、図６に示すように、開封部８０が頂板６０および後壁３０に沿って折り曲げられ、開封部８０全体を箱本体２の外面に密着させて重ねることができる。したがって、引き出し口２ａからシートＰを引き出すときに、開封部８０が引き出し口２ａに被るのを防ぐことができるため、引き出し口２ａからシートＰを引き出し易くなる。
【００８２】
また、本実施形態の収納紙箱１では、開封部８０全体を箱本体２の外面に密着させて重ねることができるため、開封した収納紙箱１をコンパクトにすることができる。このような収納紙箱１は、キッチンのように狭い空間で使用するのに適しており、さらに、縦置きにも適している。
【００８３】
また、本実施形態の収納紙箱１では、開封部８０全体が箱本体２の外面に密着して重なり、箱本体２の一部が二重壁となるため、箱本体２の強度を高めることができる。具体的には、箱本体２に開封部８０を重ねない場合に比べて、約１．６倍の強度することができる。したがって、収納紙箱１を安定して持つことができる。
【００８４】
また、本実施形態の収納紙箱１では、開封部８０全体が箱本体２の外面に密着して重なるので、開封部８０が目立たなくなり、ひいては、開封した収容紙箱１の見た目を良くすることができる。
【００８５】
本実施形態の収納紙箱１では、図４に示すように、引き出し口２ａの前壁２０側の側縁部に上下方向の段差を形成することで、引き出し口２ａの開口面積を確保しつつ、上側傾斜部Ｌ１３の傾斜角度が小さくなっている。
【００８６】
本実施形態の収納紙箱１において、ロールシートＲからシートＰを切り取る場合には、まず、引き出し口２ａからシートＰを引き出して、シートＰのミシン目を引き出し口２ａの外側に配置し、シートＰを引き出し口２ａの上側傾斜部Ｌ１３に押し付ける。
【００８７】
本実施形態の収納紙箱１では、箱本体２から引き出したシートＰを上側傾斜部Ｌ１３に押し付けたときに、シートＰと上側開口縁部Ｌ１３との接触部位が大きくなる。また、開封用ミシン目Ｌ１０の段差によって、引き出し口２ａの前壁２０側の左右の側縁部に角部２ｃ，２ｃが突出しており、この角部２ｃがシートＰに食い込むことになる。
さらに、上側傾斜部Ｌ１３には、複数の凸部２ｄが形成されており、シートＰを上側傾斜部Ｌ１３に押し付けたときに、シートＰに各凸部２ｄが食い込むことになる。
これにより、シートＰを上側開口縁部Ｌ１３に対して確実に掛け止めることができる。したがって、シートＰの先端部を引っ張ったときに、ロールシートＲに引張力が伝わるのを防ぐことができ、箱本体２内のロールシートＲが回転するのを防ぐことができるため、シートＰのミシン目に対して確実に引張力を加えることができる。
【００８８】
また、本実施形態の収納紙箱１では、箱本体２から引き出したシートＰを上側傾斜部Ｌ１３に押し付けたときに、シートＰが平坦になるため、シートＰの先端部を引っ張ったときに、シートＰの幅方向に対してバランス良く引張力が作用することになる。
【００８９】
したがって、本実施形態の収納紙箱１では、シートＰの先端部を引っ張ったときに、箱本体２内のロールシートＲが回転するのを防ぐとともに、シートＰの幅方向にバランス良く引張力が作用するため、シートＰのミシン目を容易に切り開くことができ、ロールシートＲからシートＰを容易に切り取ることができる。
【００９０】
本実施形態の収納紙箱１を開封した後に、開封部８０を閉じる場合には、図７に示すように、開封部８０を引き出し口２ａに入り込ませる。このとき、引き出し口２ａの左右の突起部２ｂ，２ｂよりも下方に開封部８０を入り込ませる。
開封部８０は、復元力によって上方に開こうとするが、開封部８０の左右の縁部の上面が左右の突起部２ｂ，２ｂに引っ掛かるため、開封部８０は頂板６０よりも下側に保持される。
このようにして、開封した収納紙箱１を保管するときに、箱本体２を容易に再封緘することができるため、ロールシートＲを清潔に保つことができる。
【００９１】
なお、突起部２ｂの形状は限定されるものではないが、突起部２ｂの突出量は、開口縁部の直線部から１ｍｍ〜４ｍｍであることが好ましい。最も好ましいのは、突起部２ｂの突出量が２ｍｍである。
このように、突起部２ｂの突出量を設定した場合には、未使用のロールシートＲが収納された箱本体２を再封緘し、その箱本体２が上下逆さになったときに、ロールシートＲの重量が開封部８０に作用しても、開封部８０が両突起部２ｂ，２ｂから外れるのを防ぐことができる。
【００９２】
また、突起部２ｂの先端点と頂板６０との間隔は、３ｍｍ〜１０ｍｍの間であることが好ましい。更に好ましくは、突起部２ｂの先端点と頂板６０との間隔は４ｍｍ〜６ｍｍの間である。
【００９３】
また、本実施形態の収納紙箱１を開封した後に、図８に示すように、開封部８０を引き出し口２ａに入り込ませ、開封部８０の左右の封止溝Ｌ５０，Ｌ５０に引き出し口２ａの開口縁部の下端部を差し込むことで、開封部８０の先端部を引き出し口２ａの開口縁部に係止させることができる。このように、箱本体２を簡便に再封緘することができるため、開封した収納紙箱１を保管するときに、ロールシートＲを清潔に保つことができる。
【００９４】
以上のような収納紙箱１では、図４に示すように、ロールシートＲからシートＰを切り取るときに、箱本体２内のロールシートＲが回転するのを防ぐとともに、シートＰの幅方向にバランス良く引張力が作用するため、シートＰのミシン目を容易に切り開くことができる。このようにして、ロールシートＲからシートＰを容易に切り取ることができるため、金属製の切断刃を紙製の箱本体２に設ける必要がない。
【００９５】
また、本実施形態の収納紙箱１では、図５に示すように、開封部８０全体が箱本体２の外面に密着して重なるため、シートＰを引き出し易くするとともに、箱全体２をコンパクトにすることができ、使用性および収納性を高めることができる。さらに、箱本体２の強度を高めるとともに、収納紙箱１の見た目を良くすることができる。
【００９６】
また、本実施形態の収納紙箱１では、図７および図８に示すように、箱本体２を容易に再封緘することができため、保管時にロールシートＲを清潔に保つことができる。
【００９７】
以上、本発明の実施形態について説明したが、本発明は前記実施形態に限定されることなく、その趣旨を逸脱しない範囲で適宜に変更が可能である。
本実施形態では、図１に示すように、引き出し口２ａに突起部２ｂを形成するとともに、開封部８０に封止溝Ｌ５０を形成しているが、収納紙箱１に突起部２ｂおよび封止溝Ｌ５０のいずれか一方のみを形成してもよい。さらには、収納紙箱１に突起部２ｂおよび封止溝Ｌ５０の両方を設けなくてもよい。
【００９８】
また、本実施形態の封止溝Ｌ５０は、開封開始線Ｌ２０と下側傾斜部Ｌ１１との連結部から斜め上向きに形成されているが、封止溝Ｌ５０を前壁２０の上縁部に対して垂直となる方向に向けて形成してもよい。
【００９９】
また、本実施形態の係止溝Ｌ６０は、図５に示すように、直線状に形成されているが、係止溝Ｌ６０全体を上向きに凸形状となる円弧状に湾曲させてもよい。係止溝Ｌ６０の形状や大きさは、係止片８１の形状に応じて、差し込み易さを考慮して適宜に設定される。
【０１００】
また、本実施形態では、図１に示すように、開封部８０を開くときに、前壁２０の係止片８１を押し込んで開き始めているが、前壁２０を二重壁に形成し、外側の壁部に形成された係止片８１を引き剥がすことで、開封部８０が開くように構成することもできる。しかしながら、本実施形態のように、前壁２０を一重に形成した構成では、ブランクシートの面積を少なくすることができる。
【０１０１】
本実施形態の開封用ミシン目Ｌ１０では、屈曲した切れ込みが断続的に形成されているが、直線状の切れ込みを断続的に形成してもよい。
【０１０２】
本実施形態の収納紙箱１には、キッチンペーパーのロールシートＲが収納されているが、収納紙箱１に収納されるロールシートＲの種類は限定されるものではなく、各種の不織布や紙製のシートをロール状に巻いた各種のロールシートを収納することができる。
【０１０３】
次に、本実施形態の収納紙箱と、従来の収納紙箱との使い易さを比較した評価結果について説明する。
従来の収納紙箱１００の箱本体２は、図９に示すように、本実施形態の収納紙箱１（図１参照）の箱本体２と同じ外形である。また、従来の収納紙箱１００に収納されるロールシートＲも、本実施形態の収納紙箱１（図１参照）に収納されるロールシートＲと同じものである。
【０１０４】
従来の収納紙箱１００では、箱本体２の前壁２０から頂板６０に亘って左右一対の開封用ミシン目Ｌ１００，Ｌ１００が形成されている。従来の収納紙箱１００の開封用ミシン目Ｌ１００は、前壁２０の上端部から下端部に亘って直線状に傾斜している。したがって、従来の収納紙箱１００の左右の開封用ミシン目Ｌ１００，Ｌ１００を切り開いたときには、箱本体２の前壁２０にＶ字形状の引き出し口２ａが形成される。
【０１０５】
従来の収納紙箱１００のように、Ｖ字形状の引き出し口が形成される場合には、シートＰを開口縁部に押し付けたときに、シートＰが開口縁部のＶ字形状に倣って撓んだ状態となる。この状態では、シートＰが開口縁部に対して滑り易いため、開口縁部に対してシートＰを掛け止めることが難しい。また、シートＰの先端部を引っ張ったときに、シートＰの幅方向にバランス良く引張力が加わり難い。したがって、従来の収納紙箱１００では、ロールシートＲからシートＰを切り取り難い。
【０１０６】
また、従来の収納紙箱１００には、開封後に開封部８０を固定する機構が設けられておらず、シートＰを引き出すときに、開封部８０が引き出し口２ａに被るため、シートＰを引き出し難い。また、従来の収納紙箱１００では、開封後に開封部８０が箱本体２から張り出すため、狭い空間に置くのが難しいとともに、見た目が良くない。
【０１０７】
従来の収納紙箱１００では、前壁２０が二重壁に形成されており、その部分に外側の壁部に形成された係止片８２を差し込む溝を設けることで、箱本体２を再封緘することができるが、本実施形態の収容紙箱１（図７参照）のように、開封部８０を押し込む作業のみ（ワンプッシュ）で再封緘することができる構成に比べて、簡便性が低くなる。
【０１０８】
図１０の表は、２７人の被験者が本発明の収納紙箱１（図１参照）と従来の収納紙箱１００（図９参照）とを二週間ずつ実際の使用環境で使用し、その使い易さを項目ごとに７段階評価（非常に良い７点、どちらとも言えない４点、非常に悪い１点）で評価したものである。
その結果、本発明の収納紙箱１は、全項目において平均点およびＴＯＰ２（全体の点数に対する７点と６点の割合）が従来の収納紙箱１００よりも大きくなっている。
特に、総合的な箱の使い易さでは、本発明の収納紙箱１のＴＯＰ２が３７％であるのに対して、従来の収納紙箱１００では、ＴＯＰ２が７．４％であり、従来の収納紙箱１００に対して、本発明の収納紙箱１の使い易さが大幅に改良されている。
【０１０９】
前記した評価結果によって、本発明の収納紙箱１（図１参照）は、シートＰを引き出し易くするとともに、ロールシートＲからシートＰを容易に切り取ることができることがわかった。そして、本発明の収納紙箱１は、従来の収納紙箱１００（図９参照）に対して、使用性および収納性が優れているとともに、収納紙箱１の見た目が良い。
【符号の説明】
【０１１０】
１      収納紙箱（ロールシート収納紙箱）
２      箱本体
２ａ    引き出し口
２ｂ    突起部
２ｃ    角部
２ｄ    凸部
１０    底板
２０    前壁
３０    後壁
４０    左壁
５０    右壁
６０    頂板
７０    接合片
８０    開封部
８１    係止片
Ｌ１０  開封用ミシン目
Ｌ１１  下側傾斜部
Ｌ１２  中間部
Ｌ１３  上側傾斜部
Ｌ１４  縦線部
Ｌ１４ａ  湾曲部
Ｌ１５  上面部
Ｌ２０  開封開始線
Ｌ３０  折り返し線
Ｌ４０  中折れ線
Ｌ５０  封止溝
Ｌ６０  係止溝
Ｐ      シート
Ｒ      ロールシート
Ｓ      ブランクシート
【図１】
0006514093.tif 000002
【図２】
0006514093.tif 000003
【図３】
0006514093.tif 000004
【図４】
0006514093.tif 000005
【図５】
0006514093.tif 000006
【図６】
0006514093.tif 000007
【図７】
0006514093.tif 000008
【図８】
0006514093.tif 000009
【図９】
0006514093.tif 000010
【図１０】
0006514093.tif 000011